(57)【特許請求の範囲】
【請求項１】
遊技機用の制御基板を封入する基板ケースであって、
正面又は背面が開放し内側に制御基板を保持するケース本体と、ケース本体の開口部を密閉してケース内に制御基板を封入するカバーと備えており、
前記カバーは、ケース本体の特定の縁部にその縁部を回動支点として傾動可能に係合すると共に、回動支点側と反対側の開放側の縁部に設けられたロック機構により、ケース本体に開放不能に固定され、
前記ロック機構は、ケース本体又はカバーの何れか一方の部材の開放側の縁部に他方の部材の側に向かって舌状に延出する第１ロック片と、他方の部材の開放側の縁部に、ケースが閉じた状態で前記第１ロック片が挿入すると共に挿入状態で第１ロック片が厚み方向に弾性変形できる挿入穴が設けられた固定部とを有し、
第１ロック片が固定部の挿入穴に挿入された状態で、挿入穴内に設けられた係合爪が第１ロック片の孔状又は凹状の爪嵌合部に嵌合することにより、第１ロック片を抜け止めすると共に、爪嵌合部の周囲の一部から内側へ舌状に突出した除去可能な第２ロック片により、前記係合爪が爪嵌合部に嵌合するのを阻止するように構成された遊技機用基板ケース。
【請求項２】
請求項１に記載の遊技機用基板ケースにおいて、
前記第１ロック片は、前記一方の部材の開放側の縁部に除去可能に設けられている遊技機用基板ケース。
【請求項３】
遊技機用の制御基板を封入する基板ケースと、該基板ケースを遊技機内に固定するために、基板ケースが嵌合した状態で遊技機の内面に固着されるケースホルダーとの組合せからなる基板取付け装置であって、
ケースホルダーに嵌合した基板ケースをケースホルダーに固定するロック機構として、基板ケース又はケースホルダーの何れか一方の部材の縁部に他方の部材の側に向かって舌状に延出する第１ロック片と、他方の部材の縁部に、基板ケースがケースホルダーに嵌合した状態で前記第１ロック片が挿入すると共に挿入状態で第１ロック片が厚み方向に弾性変形できる挿入穴が設けられた固定部とを有し、
第１ロック片が固定部の挿入穴に挿入された状態で、挿入穴内に設けられた係合爪が第１ロック片の孔状又は凹状の爪嵌合部に嵌合することにより、第１ロック片を抜け止めすると共に、爪嵌合部の周囲の一部から内側へ舌状に突出した除去可能な第２ロック片により、前記係合爪が爪嵌合部に嵌合するのを阻止するように構成された基板取付け装置。
【請求項４】
請求項３に記載の基板取付け装置において、
前記第１ロック片と固定部との組合せが、部材縁部に沿って複数設けらると共に、前記第１ロック片は、前記一方の部材の縁部に除去可能に設けられている基板取付け装置。
【請求項５】
請求項３又は４に記載の基板取付け装置において、
基板ケースは、ケースホルダーの特定の縁部に設けられて、基板ケースの対応する縁部を係止する係合突起と、反対側の縁部に設けられた前記ロック機構との組合せによりケースホルダーに固定される基板取付け装置。
【発明の詳細な説明】
【技術分野】
【０００１】
本発明は、パチスロ機と呼ばれる回胴式遊技機やパチンコ機といった遊技機において、制御基板を機内に安全に取付けるための基板ケース及び基板取付け装置に関する。
【背景技術】
【０００２】
近年、パチンコ機だけではなく、パチスロ機と称される回胴式遊技機を用いた遊技が、従来のパチンコホールやパチスロ専用ホールで盛んに行われている。これらの遊技機においては、制御用の主基板に搭載されたＲＯＭ内の情報により当選確率等が支配される。このため、制御用の主基板に対するセキュリティの確保が、機種を問わず重大な技術課題になっている。
【０００３】
すなわち、この種の遊技機においては、機器内を頻繁に操作する必要から、前扉により前面が開閉されるため、機器内の制御用主基板は否が応にも人目に曝されることになる。このため、制御用主基板の改造（ＲＯＭの付け替えなど）といった不正行為が後を絶たず、これに対処するために、制御用主基板の取付け装置には、不正改造を阻止するための様々な工夫が講じられている。
【０００４】
不正改造を阻止するための工夫を講じた典型的な基板取付け装置は、例えば特許文献１に記載されているように、主基板を収容する比較的薄型の基板ケースと、基板ケースを遊技機のキャビネットの背板表面に取り付けるためのケースホルダーとからなる。
【０００５】
基板ケースは、長方形の主基板を内部に保持する長方形の浅いケース本体と、ケース本体の正面開口部を塞ぐための長方形のカバーとを有しており、全方向から内部の主基板が見えるようにいずれも透明樹脂により形成されている。カバーは、下辺の回動係合部と上辺の両側部に取付けられた複数のカシメピンとによりケース本体に取り外し不能に固定される。
【０００６】
ケースホルダーは、基板ケースに対応する長方形の樹脂板からなり、キャビネットの背板の表面に固定ピンにより取外し不能に取付けられる一方、正面側に基板ケースを取り外し不能に保持する。具体的には、ケースホルダーの下辺部に設けられた複数の係合突起と、基板ケースの上辺中央部に保持された複数のカシメピンとにより、基板ケースはケースホルダーに取り外し不能に固定される。
【０００７】
【特許文献１】特開２００７−３０１１２６号公報
【０００８】
このような基板取付け装置によると、カシメピンによる封印部をニッパー等の工具で破壊しない限り、基板ケースをケースホルダーから取り外すことができないし、基板ケースを開放することもできない。そして、カシメ封印部をニッパー等の工具で破壊した場合は、その痕跡が明確に残り、その痕跡は遊技機を前扉を開けると直ぐに見付けることができる。これに加えて、透明な基板ケースを通して内部の主基板の表面を直接監視することもできる。これらの結果として、基板ケースを開放して主基板に細工するとか、基板ケースごと主基板を取り替えるといった不正行為は効果的に防止される。
【０００９】
一方、警察等による検査のために、基板ケースをケースホルダーから取り外すこと求められる。このため、基板取付け装置においては、基板ケースとケースホルダーのカシメ封印部を複数設けておき、検査の度に封印部を意図的に破壊して基板ケースをケースホルダーから取り外し、その後で別の封印部をカシメピンで新たに固定するということが行われている。この作業のために、複数のカシメピンが必要になり、部品点数が増加する。また、取り外し作業の度にカシメピンを封印部に押し込む手間が求められる。
【００１０】
複数のカシメピンを基板ケース或いはケースホルダーに付属させたものも見受けられるが、使用の度にカシメピンの切り取りが必要になり、作業が一層複雑になる。
【００１１】
基板ケースについては、内部の基板の交換が必要な場合、そのカシメ封印部を破壊するが、封印部を一度破壊したケースの再使用は不可能である。基板ケースの再使用を可能にするために、基板取付け装置と同様にカシメ封印部を複数設けることも考えられているが、その場合は、基板取付け装置にカシメ封印部を複数設けた場合と同様に、部品点数の増加、作業の複雑化という問題が生じる。
【発明の開示】
【発明が解決しようとする課題】
【００１２】
本発明の目的は、カシメピンの如き別部材を使用せずにケースを簡単に封印閉止や再開閉できる部品点数が少なく、封印作業も簡単な基板ケースを提供することにある。
【００１３】
本発明の別の目的は、カシメピンの如き別部材を使用せずに基板ケースをケースホルダーに簡単に封印固定や再固定できる部品点数が少なく、封印作業も簡単な基板取付け装置を提供することにある。
【課題を解決するための手段】
【００１４】
上記目的を達成するために、本発明の基板ケースは、正面又は背面が開放し内側に制御基板を保持するケース本体と、ケース本体の開口部を密閉してケース内に制御基板を封入するカバーと備えており、前記カバーは、ケース本体の特定の縁部にその縁部を回動支点として傾動可能に係合すると共に、回動支点側と反対側の開放側の縁部に設けられたロック機構により、ケース本体に開放不能に固定され、前記ロック機構は、ケース本体又はカバーの何れか一方の部材の開放側の縁部に他方の部材の側に向かって舌状に延出する第１ロック片と、他方の部材の開放側の縁部に、ケースが閉じた状態で前記第１ロック片が挿入すると共に挿入状態で第１ロック片が厚み方向に弾性変形できる挿入穴が設けられた固定部とを有し、第１ロック片が固定部の挿入穴に挿入された状態で、挿入穴内に設けられた係合爪が第１ロック片の孔状又は凹状の爪嵌合部に嵌合することにより、第１ロック片を抜け止めすると共に、爪嵌合部の周囲の一部から内側へ舌状に突出した除去可能な第２ロック片により、係合爪が爪嵌合部に嵌合するのを阻止するように構成されている。
【００１５】
本発明の基板ケースにおいては、カバーは、ケース本体の特定の縁部にその縁部を回動支点として傾動可能に係合すると共に、回動支点側と反対側の開放側の縁部に設けられたロック機構により、ケース本体に開放不能に固定される。ロック機構においては、カバーの閉止に伴って、第１ロック片が固定部の挿入穴に挿入される。ここで、第１ロック片は、挿入穴内に設けられた係合爪が嵌合する爪嵌合部と、係合爪が爪嵌合部に嵌合するのを阻止する除去可能な第２ロック片を有している。第２ロック片を除去しないで、カバーを閉じた場合は、第１ロック片の爪嵌合部に固定部の係合爪は嵌合しない。このため、カバーはケース本体にロックされない。
【００１６】
第１ロック片に付属する第２ロック片を除去してから、カバーを閉じた場合は、第１ロック片の爪嵌合部に固定部の係合爪が嵌合し、第１ロック片が抜け止めされる。このため、カバーはカシメピンなしで、しかも単に閉じる操作だけで、ケース本体に開放不能にロックされる。
【００１７】
基板ケース内の制御基板の交換等に際してカバーを開けるためには、第１ロック片を部材から分離するか、固定部を破壊して第１ロック片の爪嵌合部に嵌合する係合爪を勘合部から除去する必要がある。第１ロック片を分離する方がカバーの開放は容易である。このため、第１ロック片は除去可能に構成することが好ましい。第１ロック片及び固定部を複数組設け、順番に第２ロック片を除去するようにすれば、同じ基板ケースを複数回使用することができる。
【００１８】
また、本発明の基板取付け装置は、遊技機用の制御基板を封入する基板ケースと、該基板ケースを遊技機内に固定するために、基板ケースが嵌合した状態で遊技機の内面に固着されるケースホルダーとの組合せからなる基板取付け装置であって、ケースホルダーに嵌合した基板ケースをケースホルダーに固定するロック機構として、基板ケース又はケースホルダーの何れか一方の部材の縁部に他方の部材の側に向かって舌状に延出する第１ロック片と、他方の部材の縁部に、基板ケースがケースホルダーに嵌合した状態で前記第１ロック片が挿入すると共に挿入状態で第１ロック片が厚み方向に弾性変形できる挿入穴が設けられた固定部とを有し、第１ロック片が固定部の挿入穴に挿入された状態で、挿入穴内に設けられた係合爪が第１ロック片の孔状又は凹状の爪嵌合部に嵌合することにより、第１ロック片を抜け止めすると共に、爪嵌合部の周囲の一部から内側へ舌状に突出した除去可能な第２ロック片により、前記係合爪が爪嵌合部に嵌合するのを阻止するように構成されている。
【００１９】
本発明の基板取付け装置においては、制御基板を封入した基板ケースがロック機構によりケースホルダーに分離不能に固定される。ロック機構においては、基板ケースのケースホルダーへの嵌合に伴って、第１ロック片が固定部の挿入穴に挿入される。ここで、第１ロック片は、挿入穴内に設けられた係合爪が嵌合する爪嵌合部と、係合爪が爪嵌合部に嵌合するのを阻止する除去可能な第２ロック片を有している。第２ロック片を除去しないで、基板ケースをケースホルダーに嵌合させた場合は、第１ロック片の爪嵌合部に固定部の係合爪は嵌合しない。このため、基板ケースはケースホルダーにロックされない。
【００２０】
第１ロック片に付属する第２ロック片を除去してから、基板ケースをケースホルダーに嵌合させた場合は、第１ロック片の爪嵌合部に固定部の係合爪が嵌合し、第１ロック片が抜け止めされる。このため、基板ケースはカシメピンなしで、しかも単に、ケースホルダーへの嵌合操作だけで、ケースホルダーに分離不能に固定される。
【００２１】
基板ケース内の制御基板の検査等に際して基板ケースをケースホルダーから分離するためには、第１ロック片を部材から分離するか、固定部を破壊して第１ロック片の爪嵌合部に嵌合する係合爪を勘合部から除去する必要がある。第１ロック片を分離する方が基板ケースの分離は容易である。このため、第１ロック片は除去可能に構成することが好ましい。第１ロック片及び固定部を複数組設け、順番に第２ロック片を除去するようにすれば、同じ基板ケース及びケースホルダーを使用して複数回の取り外し、再装着を行うことができる。
【００２２】
基板ケースのケースホルダーへの固定形態としては、ケースホルダーの特定の縁部に設けられて、基板ケースの対応する縁部を係止する係合突起と、反対側の縁部に設けられた前記ロック機構との組合せが、構造、操作が簡単で好ましい。
【発明の効果】
【００２３】
本発明の基板ケースは、ケース本体とカバーの封止に、第１ロック片が挿入される固定部と、固定部の挿入穴内に設けられた係合爪が嵌合する爪嵌合部及び係合爪が爪嵌合部に嵌合するのを阻止する除去可能な第２ロック片を有した第１ロック片との組合せを用いるので、カシメピンなしで、しかも単にカバーを閉じる操作だけで、そのカバーをケース本体に開放不能にロックできるので、部品点数が少なく、封止操作も簡単である。この組合せを複数設けることにより、新しいカシメピン等を必要とすることなく再開閉できる。
【００２４】
また、本発明の基板取付け装置は、基板ケースのケースホルダーへの固定に、第１ロック片が挿入される固定部と、固定部の挿入穴内に設けられた係合爪が嵌合する爪嵌合部及び係合爪が爪嵌合部に嵌合するのを阻止する除去可能な第２ロック片を有した第１ロック片との組合せを用いるので、カシメピンなしで、しかも単にカバーを閉じる操作だけで、そのカバーをケース本体に開放不能にロックできるので、部品点数が少なく、封止操作も簡単である。固定部と第１ロック片との組合せを複数組み設ければ、基板ケース及びケースホルダーの繰り返し使用が可能であり、その場合も部品点数の増加を回避できる。
【発明を実施するための最良の形態】
【００２５】
以下、本発明の実施形態を図面に基づいて詳細に説明する。
【００２６】
図１〜図３は本発明の一実施形態を示す基板ケース及び基板取付け装置の斜視図、図４（ａ）（ｂ）（ｃ）は本実施形態の基板ケース及び基板取付け装置の三面図で、使用法を示す。また、図５（ａ）（ｂ）は図４中のＡ−Ａ線断面矢示図、図６（ａ）（ｂ）は図４中のＢ−Ｂ線断面矢示図であり、いずれも使用法を段階的に示す。
【００２７】
本実施形態の基板取付け装置は、図１〜図６に示すように、パチンコ機やパチスロ機の制御用主基板やサブ基板などの制御基板１０をその機器の垂直な内面に取付けるのに使用されるものであり、基板１０を封入する基板ケース２０と、これを遊技機の機器の垂直な内面に取付けるためのケースホルダー３０とを備えている。
【００２８】
本実施形態の基板ケース２０は、内部に封入する長方形の基板１０の形状に対応した横に長い長方形の薄い樹脂ケースであり、内部に封入した基板１０の様子がよくわかるように透明樹脂により形成されている。この基板ケース２０は、背面が開口し内側に基板１０を保持する正面側のケース本体２０Ａと、ケース本体２０Ａの背面側からその背面開口部を閉止するカバー２０Ｂとからなる。
【００２９】
基板ケース２０のケース本体２０Ａは、長方形の前板とその周囲の角枠状の側壁とにより、基板１０が嵌合する横に長い長方形の基板収容部２１Ａを形成している。基板収容部２１Ａの下縁部には、カバー２０Ｂの下縁部が回動可能に係合する一対の軸部２２Ａ，２２Ａが一体的に設けられると共に、基板ケース２０内に封入された基板１０の表面に実装された複数のコネルタ１１を正面側へ露出させるために、複数の開口部２３Ａが横に並んで設けられている。
【００３０】
ケース本体２０Ａの最上部には、カバー２０Ｂとの固定及びケースホルダー３０との連結固定のために、複数の第１ロック片２４Ａが横に並んで一体的に設けられている。個々の第１ロック片２４Ａは、ケース本体２０Ａの上面前縁部から上方に突出した板状の支持部２５Ａによりケース本体２０Ａの上面上に平行に支持された長方形の薄板状の舌片であり、より具体的には、支持部２５Ａの上端からカバー２０Ｂの側へ直角に突出することにより、支持部２５Ａと共に逆Ｌ状の鉤部を形成している。
【００３１】
第１ロック片２４Ａには、長方形の貫通孔からなる爪嵌合部２６Ａが設けられると共に、爪嵌合部２６Ａの先端側縁部から爪嵌合部２６Ａ内へ舌状に延出した第２ロック片２７Ａが設けられている。第１ロック片２４Ａは全体として板厚方向に弾性変形が可能であり、第２ロック片２７Ａは付け根をニッパー等で切断することにより簡単に除去可能である。第１ロック片２４Ａを支持する板状の支持部２５Ａも、ニッパー等で簡単に除去できるように付け根が両側一対の棒状に形成されている。
【００３２】
複数の逆Ｌ状鉤部は、ここではケース本体２０Ａの両側部に２個ずつ、中央部に４個、合計８個配置されており、中央部の４個はカバー２０Ｂとの封止固定に、両側部の４個の逆Ｌ状鉤部は、ケースホルダー３０との連結固定に使用される。中央部の４個は、真ん中の２個が一体化され、両側の２個が独立した配置になっている。
【００３３】
基板ケース２０のカバー２０Ｂは、ケース本体２０Ａに対応する長方形の正面が開放した厚みが薄い箱形であり、ケース本体２０Ａの下縁部に設けられた一対の軸部２２Ａ，２２Ａに係合するフック部２１Ｂ，２１Ｂを下縁部に有している。カバー２０Ｂのフック部２１Ｂ，２１Ｂをケース本体２０Ａの軸部２２Ａ，２２Ａに係合させることにより、両者は下縁部を回動支点として開閉可能にヒンジ結合される。ケース本体２０Ａの基板収容部２１Ａに対応するカバー本体２２Ｂの両側部上面には、ケース本体２０Ａの両側部の４個の逆Ｌ状鉤部に対応する４個の固定部２３Ｂが、両側部に２個ずつ一体的に設けられている。
【００３４】
個々の固定部２３Ｂは、背面側のカバー２０Ｂから正面側へ突出する角筒形状であり、カバー２０Ｂの閉止動作に伴って第１ロック片２４Ａが挿入される挿入穴２４Ｂを有している。挿入穴２４Ｂは、挿入された第１ロック片２４Ａが下方へ弾性変形できる高さを有する角穴であり、奥は閉塞されている。挿入穴２４Ｂの上面には、挿入された第１ロック片２４Ａの爪嵌合部２６Ａ（第２ロック片２７Ａが除去された状態の爪嵌合部２６Ａ）に嵌合する係合爪２５Ｂが設けられている。係合爪２５Ｂは、正面側から奥へ向かうに連れて下方へ徐々に突出するテーパー状の突起であり、第１ロック片２４Ａの爪嵌合部２６Ａ（第２ロック片２７Ａが除去された状態の爪嵌合部２６Ａ）に嵌合することにより、第１ロック片２４Ａを完全に抜け止めする（図５参照）。
【００３５】
第１ロック片２４Ａに付属する第２ロック片２７Ａは、固定部２３Ｂの係合爪２５Ｂに対応しており、これを除去せずに第１ロック片２４Ａが固定部２３Ｂの挿入穴２４Ｂに挿入された場合は、爪嵌合部２６Ａへの係合爪２５Ｂの嵌合を阻止する。したがって、この場合は第１ロック片２４Ａは固定部２３Ｂにロックされず、何回でも挿入、引抜きが可能である。第２ロック片２７Ａを除去せずに第１ロック片２４Ａを固定部２３Ｂの挿入穴２４Ｂに挿入した場合、第１ロック片２４Ａは係合爪２５Ｂに押圧されて下方へ弾性変形する（図６参照）。固定部２３Ｂの挿入穴２４Ｂは、第１ロック片２４Ａのこの弾性変形を阻害しない大きさに設計されている。
【００３６】
基板ケース２０と共に基板取付け装置を構成するケースホルダー３０は、基板ケース２０が正面側から嵌合する長方形で正面が開放した厚みの薄い外箱である。ケースホルダー３０の背板部分には、当該ホルダーを遊技機の機器内面に固定するためのネジ孔３１が設けられている。背板の最上部には、ホルダー３０内に嵌合した基板ケース２０の下縁部を係止する一対の係合突起３２，３２が設けられている。
【００３７】
ケースホルダー３０の背板の最上部には、複数の固定部３３が設けられている。複数の固定部３３は、ケース本体２０Ａの４個の第１ロック片２４Ａに対応するように中央部に４個が横に並んで配置されており、内側の２個は一体化されている。ここにおける固定部３３は、カバー２０Ｂの上縁部両側に設けられた固定部２３Ｂに対応する構成であり、基板ケース２０のカバー２０Ｂをケースホルダー３０に嵌合させた状態で、カバー２０Ｂの両側に配置された固定部２３Ｂの間に位置し、前後位置も固定部２３Ｂと同じである。すなわち、基板ケース２０のカバー２０Ｂをケースホルダー３０に嵌合させた状態で、カバー２０Ｂの固定部２３Ｂ及びケースホルダー３０の固定部２３Ｂは横に一列に並ぶ。
【００３８】
個々の固定部３３の構成もカバー２０Ｂの固定部２３Ｂと実質同じであって、ケースホルダー３０の背板の最上部から正面側へ突出する角筒形状であり、基板ケース２０のケースホルダー３０への嵌合に伴ってケース本体２０Ａの第１ロック片２４Ａが挿入される挿入穴３４を有している。
【００３９】
挿入穴３４は、挿入された第１ロック片２４Ａが下方へ弾性変形できる高さを有する角穴であり、奥は閉塞されている。挿入穴３４の上面には、固定部２３Ｂの係合爪２５Ｂに対応する係合爪３５（図４（ｂ）参照）が設けられいる。この係合爪３５は、固定部２３Ｂの係合爪２５Ｂと同様に、第１ロック片２４Ａの爪嵌合部２６Ａ（第２ロック片２７Ａが除去された状態の爪嵌合部２６Ａ）に嵌合することにより、第１ロック片２４Ａを完全に抜け止めし、第１ロック片２４Ａを除去せずに第１ロック片２４Ａが固定部３３の挿入穴３４に挿入された場合は、爪嵌合部への係合爪３５の嵌合を阻止する。
【００４０】
第２ロック片２７Ａを除去せずに第１ロック片２４Ａを固定部３３の挿入穴３４に挿入した場合、第１ロック片２４Ａはテーパー状の係合爪３５に押圧されて下方へ弾性変形する。固定部３３の挿入穴３４は、第１ロック片２４Ａのこの弾性変形を阻害しない大きさに設計されている。
【００４１】
次に、本実施形態の基板ケース２０及び基板取付け装置の使用方法及び機能について説明する。
【００４２】
まず、基板ケース２０のケース本体２０Ａの基板収容部２１Ａ内に基板１０を固定する。基板収容部２１Ａ内に固定された基板１０のコネクタ１１は、ケース本体２０Ａの下端部に設けられた開口部２３Ａから正面側へ突出する。
【００４３】
ケース本体２０Ａへの基板１０の取付けが終わると、そのケース本体２０Ａをカバー２０Ｂと組み合わせる。具体的には、カバー２０Ｂのフック部２１Ｂ，２１Ｂをケース本体２０Ａの軸部２２Ａ，２２Ａに係合させることにより、両者を下縁部を回動支点として開閉可能にヒンジ結合する。両者のヒンジ結合により基板ケース２０の組立が完了する。
【００４４】
このとき、図４（ａ）に示すように、カバー２０Ｂに設けられた８個の第１ロック片２４Ａのうち、両側部の４個のうちの２個、中央部の４個のうちの両側の２個において、第２ロック片２７Ａを予め除去しておく。
【００４５】
基板ケース２０の組立が完了すると、その基板ケース２０をケースホルダー３０に嵌合する。このとき、基板ケース２０のカバー２０Ｂは閉じておいてもよいし、開けておいてもよい。図４〜図６では、カバー２０Ｂを完全に閉じない状態、すなわちケース本体２０Ａが正面側へ若干傾斜した状態で、基板ケース２０がケースホルダー３０に組み合わされている。
【００４６】
そして、この状態から基板ケース２０のケース本体２０Ａをカバー２０Ｂと完全に合体させ、カバー２０Ｂを閉止状態にする。これにより、ケース本体２０Ａの両側部に配置された４個の第１ロック片２４Ａが、カバー２０Ｂの対応する４個の固定部２３Ｂの挿入穴２４Ｂにそれぞれ挿入される。また、ケース本体２０Ａの中央部に配置された４個の第１ロック片２４Ａが、ケースホルダー３０の対応する固定部３３の挿入穴３４にそれぞれ挿入される。
【００４７】
ここで、ケース本体２０Ａの両側部に配置された各側２個ずつの第１ロック片２４Ａに着目すると、外側の第１ロック片２４Ａでは、図５（ａ）（ｂ）に示すように、第２ロック片２７Ａが除去されているので、第１ロック片２４Ａがカバー２０Ｂの対応する固定部２３Ｂの挿入穴２４Ｂに挿入されることにより、係合爪２５Ｂが第１ロック片２４Ａの爪嵌合部２６Ａに嵌合し、第１ロック片２４Ａが抜け止めされる。これにより、基板ケース２０のケース本体２０Ａとカバー２０Ｂは閉止状態に封印固定される。ケース本体２０Ａとカバー２０Ｂとを開放状態にするためには、第１ロック片２４Ａを支持する支持部２５Ａを付け根で切断して第１ロック片２４Ａを分離する必要がある。そうした場合は、切断の痕跡が明確に残るので、不正な開放行為があった場合は直ちにそれを認識することができる。
【００４８】
一方、内側の第１ロック片２４Ａでは、図６（ａ）（ｂ）に示すように、第２ロック片２７Ａが除去されていないので、第１ロック片２４Ａがカバー２０Ｂの対応する固定部２３Ｂの挿入穴２４Ｂに挿入されると、第１ロック片２４Ａは係合爪２５Ｂに押圧されて下方へ弾性変形するだけであり、第１ロック片２４Ａは固定部２３Ｂに固定されない。すなわち、もし仮に、ケース本体２０Ａとカバー２０Ｂを意図的に開放状態にすれば、第１ロック片２４Ａは固定部２３Ｂの挿入穴２４Ｂからそのまま抜け出るので、再使用が可能である。
【００４９】
また、ケース本体２０Ａの中央部に配置された４個の第１ロック片２４Ａに着目すると、外側２個の第１ロック片２４Ａでは、第２ロック片２７Ａが除去されているので、第１ロック片２４Ａがケースホルダー３０の対応する固定部３３の挿入穴３４に挿入されることにより、係合爪３５が第１ロック片２４Ａの爪嵌合部２６Ａに嵌合し、第１ロック片２４Ａが抜け止めされる。これにより、基板ケース２０がケースホルダー３０に封印固定される。基板ケース２０をケースホルダー３０から分離するためには、第１ロック片２４Ａを支持する支持部２５Ａを付け根で切断して第１ロック片２４Ａを分離する必要がある。そうした場合は、切断の痕跡が明確に残るので、不正な分離行為があった場合は直ちにそれを認識することができる。
【００５０】
内側２個の第１ロック片２４Ａでは、第２ロック片２７Ａが除去されていないので、第１ロック片２４Ａがケースホルダー３０の対応する固定部３３の挿入穴３４に挿入されると、第１ロック片２４Ａは挿入穴３４内のテーパー状の係合爪３５に押圧されて下方へ弾性変形するだけであり、第１ロック片２４Ａは固定部３３に固定されない。すなわち、もし仮に、基板ケース２０をケースホルダー３０から意図的に分離すれば、第１ロック片２４Ａは固定部３３の挿入穴３４からそのまま抜け出るので、再使用が可能である。
【００５１】
警察による検査等で基板ケース２０をケースホルダー３０から意図的に取り外す必要性が生じた場合は、４個の第１ロック片２４Ａのうちの外側２個を分離するべく、それらの支持部２５Ａを付け根で切断する。これにより、基板ケース２０をケースホルダー３０に固定している第１ロック片２４Ａが基板ケース２０から分離されるので、基板ケース２０はケースホルダー３０から簡単に外れる。
【００５２】
検査後に基板ケース２０をケースホルダー３０へ再固定するときは、ケース本体２０Ａの中央部に配置された４個の第１ロック片２４Ａのうちの内側２個において、第１ロック片２４Ａから第２ロック片２７Ａを除去する。そうすれば、１回目と同じように基板ケース２０をケースホルダー３０に封印固定することができる。これにより、同じ基板ケース２０及びケースホルダー３０を使用しつつ、基板ケース２０の１回の付け替えが可能となる。
【００５３】
ケース本体２０Ａの中央部に配置された４個の第１ロック片２４Ａのうち、一つずつ第２ロック片２７Ａを除去するならば３回の付け替えが可能になる。第１ロック片２４Ａの個数を増やせば、封印固定に２個の第１ロック片２４Ａを使用しつつ、付け替え回数を増やすことができる。
【００５４】
基板ケース２０を開ける必要性が生じた場合は、基板ケース２０をケースホルダー３０から取り外した状態で、ケース本体２０Ａの両側部に配置された各側２個ずつの第１ロック片２４Ａのうちの外側２個において、支持部２５Ａを付け根で切断して第１ロック片２４Ａをケース本体２０Ａから分離する。基板ケース２０を再度閉じるときは、ケース本体２０Ａの両側部に配置された各側２個ずつの第１ロック片２４Ａのうちの内側２個において、第１ロック片２４Ａから第２ロック片２７Ａを除去する。そうすれば、１回目と同じように基板ケース２０のケース本体２０Ａとカバー２０Ｂを封印固定することができる。これにより、同じ基板ケース２０を使用しつつ、１回の再開閉が可能となる。
【００５５】
このように、本実施形態の基板ケース２０及び基板取付け装置は、不正行為を行った場合、基板ケース２０に明確な痕跡が残るので、セキュリティ度が高い。また、新しいロックピンを使用することなく、現状の基板ケース２０及びケースホルダー３０のままで、基板ケース２０のケースホルダー３０への再装着、及び基板ケース２０の再開閉が可能である。
【００５６】
上記実施形態では、基板ケース２０の正面側にケース本体２０Ａを配置し、背面側にカバー２０Ｂを配置したが、正面側にカバー２０Ｂを配置し、背面側にケース本体２０Ａを配置することも可能である。この場合は、カバー２０Ｂの上縁部に第１ロック片２４Ａを設け、ケース本体２０Ａの上縁部に固定部２３Ｂを設けることになる。いずれしても、分離除去操作の必要性がある第１ロック片２４Ａを正面側の部材に設け、固定部２３Ｂを背面側の部材に設けるのが作業性の点から望ましい。
【図面の簡単な説明】
【００５７】
【図１】本発明の一実施形態を示す基板ケース及びその取付け装置の全体構造を示す斜視図である。
【図２】同じく本実施形態の基板ケース及びその取付け装置の全体構造を示す斜視図である。
【図３】同じく本実施形態の基板ケース及びその取付け装置の全体構造を示す斜視図である。
【図４】（ａ）（ｂ）（ｃ）は本実施形態の基板ケース及び基板取付け装置の三面図で、使用法を示す。
【図５】（ａ）（ｂ）は図４中のＡ−Ａ線断面矢示図であり、使用法を段階的に示す。
【図６】（ａ）（ｂ）は図４中のＢ−Ｂ線断面矢示図であり、使用法を段階的に示す。
【符号の説明】
【００５８】
１０  制御基板
２０  基板ケース
２０Ａ  ケース本体
２１Ａ  基板収容部
２２Ａ  軸部
２３Ａ  開口部
２４Ａ  第１ロック片
２５Ａ  支持部
２６Ａ  爪嵌合部
２７Ａ  第２ロック片
２０Ｂ  カバー
２１Ｂ  フック部
２３Ｂ  固定部
２４Ｂ  挿入穴
２５Ｂ  係合爪
３０  ケースホルダー
３１  ネジ孔
３２  係合突起
３３  固定部
３４  挿入穴
３５  係合爪
【要約】
【課題】カシメピンの如き別部材を使用せずにケースを簡単に封印閉止したり、同じくカシメピンの如き別部材を使用せずに基板ケースをケースホルダーに簡単に封印固定できる部品点数が少なく、封印作業も簡単な基板取付け装置を提供する。
【解決手段】制御基板を保持するケース本体２０Ａの背面開口部をカバー２０Ｂにて密閉する。正面側のケース本体２０Ａの上縁部に、背面側へ突出する複数の第１ロック片２４Ａを横に並べて設けると共に、これらが挿入される固定部２３Ｂ，３３を背面側のカバー２０Ｂ，ケースホルダー３０の各上縁部に設ける。各第１ロック片２４Ａは、対応する固定部内の係合爪２５Ｂ，３５が嵌合する爪嵌合部２６Ａと、その嵌合を阻止する除去可能な第２ロック片２７Ａを有する。予め第２ロック片２７Ａを除去しておけば、その第１ロック片２４Ａは固定部２３Ｂ，３３に連結固定される。再固定のときは、第２ロック片２７Ａが残っている第１ロック片２４Ａにおいて、その第２ロック片２７Ａを除去し、対応する固定部２３Ｂ，３３に挿入する。
【選択図】図４【図１】
0004110206.tif 000002
【図２】
0004110206.tif 000003
【図３】
0004110206.tif 000004
【図４】
0004110206.tif 000005
【図５】
0004110206.tif 000006
【図６】
0004110206.tif 000007